(57)【要約】【課題】粘性の高低に関わらず、試料を容易且つ均一に収容でき顕微鏡検査をすることができる液状試料検査用プレパラートを提供する。【解決手段】基板部２及び蓋部３からなり、基板部２には底面が試料を収容するための凹窩部２ａが設けられ、前記蓋部３はヒンジ部３ａを介して基板部２と一体的に設けられるとともに、前記凹窩部２ａに被覆可能であり、前記蓋部３には、当該蓋部３を前記凹窩部２ａに被覆した際に試料注入用の開口部となる切欠き部３ｂが設けられ、前記凹窩部２ａの深さが前記蓋部３を前記凹窩部２ａ上に被覆した状態で、蓋部３の下面と凹窩部２ａの底面との間で毛細管現象が生じる深さであり、  凹窩部２ａの底面及び／又は蓋部３の下面に、蓋部３下面と凹窩部２ａ底面の間隔を保つためのスペーサー４が設けられていることを特徴とする液状試料検査用プレパラート１である。【選択図】図１
2014002046.tif 000002
【特許請求の範囲】
【請求項１】
基板部及び蓋部からなり、
前記基板部には試料を収容するための凹窩部が設けられ、
前記蓋部はヒンジ部を介して基板部と一体的に設けられるとともに、前記凹窩部に被覆可能であり、
前記蓋部には、当該蓋部を前記凹窩部に被覆した際に試料注入用の開口部となる切欠き部が設けられ、
前記凹窩部の深さは、前記蓋部を前記凹窩部上に被覆した状態で、蓋部の下面と凹窩部の底面との間で毛細管現象が生じる深さであり、
凹窩部の底面及び／又は蓋部の下面に、蓋部下面と凹窩部底面の間隔を保つためのスペーサーが設けられていることを特徴とする液状試料検査用プレパラート。
【請求項２】
スペーサーが点状及び／又は線状であることを特徴とする請求項１に記載の液状試料検査用プレパラート。
【請求項３】
スペーサーが規則的に配列されていることを特徴とする請求項１又は２に記載の液状試料検査用プレパラート。
【発明の詳細な説明】
【技術分野】
【０００１】
本発明は、体液等の液状試料を光学顕微鏡で検査するためのプレパラートに係り、特に、蓋部内に残存応力が発生して蓋部に反り等が生じた場合でも、粘性の高低に関わらず試料を容易に均一に収容して検査することができる液状試料検査用プレパラートに関する。
【背景技術】
【０００２】
血液、組織液、尿等の液状試料を顕微鏡で観察する場合、従来より、スライドガラスと呼ばれる矩形のガラス板の上に当該液状試料を数滴垂らして染色等の所定の処理を施し、カバーガラスを被せてプレパラートが作成されていた。
しかしながら、液状試料を一定の厚さにするのは容易ではなく、そのためプレパラートの作成には相当の熟練が必要であり、また、スライドガラスとカバーガラスの間から液状試料が漏れて手指を汚染することもあった。また、スライドガラスもカバーガラスもガラス製であるので、重量が大きく、また壊れ易いという問題を有していた。
【０００３】
軽量で壊れにくいスライドガラス及びカバーガラスとしては、プラスチック製のスライドガラスとカバーガラスがわずかな隙間を介して密着され、隔壁が前記隙間（セル）の左右を密封するとともに、隙間の前後に試料注入用の開口部と通気口が設けられたスライド（特許文献１参照）が提案されている。このスライドは試料注入用の開口部に液状試料を滴下すれば毛細管現象により試料が自動的にセルの中に引き込まれて広がり、試料の厚さも均一になるので、簡単にプレパラートを作成できる。
【０００４】
しかしながら、検査の対象になる試料は粘性の低いものばかりではなく、例えば、尿沈渣のような粘性が高い試料もある。このような粘性が高い試料を上記の特許文献１に記載のスライドの開口部に滴下しても、試料が毛細管現象により自動的に吸い込まれることはない。
【０００５】
粘性が高い試料に対しても使用することができるプラスチック製のスライドガラスとカバーガラスとしては、ヒンジ部を介して一体的に設けられた基板部（スライドガラス）と蓋部（カバーガラス）からなり、蓋部が基板部に対して開閉自在とされているものがある（特許文献２参照）。
しかしながら、プラスチック製のカバーガラスを使用する場合、適当な剛性を持たせるために当該カバーガラスを厚くすれば、分厚いカバーガラスが邪魔で顕微鏡の対物レンズを試料に近付けることができず、試料の観察が困難になる。これに加え、一般にプラスチックの透明度はガラスと比べて低く、蓋部を厚くすればその分だけ当該蓋部を通過する光の量が減るので、試料の観察がさらに困難になる。
逆に、カバーガラスを薄くすれば、今度は適当な剛性を保つことが出来ず、試料の調整中や観察中にカバーガラスが撓んでしまい、作業性が悪くなる。
【０００６】
薄く且つ剛性が高いカバーガラスを得る方法としては、蓋部の周縁部にリブが設ける方法がある（特許文献３参照）。なお、引用文献３においては液状試料を導入するための凹窩部の周りに溝が設けられており、この溝が余分な液状試料の収容とリブの収容の二つの役割を有するように構成されている。
【先行技術文献】
【特許文献】
【０００７】
【特許文献１】特開平４−２１４５１９号公報
【特許文献２】特開２０１２−３２５８９号公報
【特許文献３】特開２０１２−８３１９０号公報
【発明の概要】
【発明が解決しようとする課題】
【０００８】
しかしながら、プラスチックを用いて、カバーガラスのような薄い部分を作成する場合、この薄い部分に反り等が生じたり波打つ現象が生じ、この部分で液状試料の層が薄くなったり厚くなったりして不均一となり、試料観察に支障を来たす場合がある。これは、金型における表裏の温度差、樹脂が流れる方向や速度といった条件により成型体の内部に生じる残存応力の影響に因るもの考えられる。従って、特許文献３のようにリブを設けたとしても、そのリブの内部に残存応力が発生すれば、問題の解決にはならない。金型の温度や樹脂の流れをほぼ完全に制御すれば残存応力を解消できると思われるが、そのような金型を作成するのは極めて困難であり、金型の開発コストが嵩むという問題がある。
【０００９】
本発明はかかる実情に鑑み、従来技術の上記問題点を解消し、液状試料の粘性に関わらず好適に検査を行えるだけでなく、蓋部の残存応力に関わらず液状試料の厚みを一定にすることができ、好適に試料検査が行える液状試料検査用プレパラートを提供することを目的とする。
【課題を解決するための手段】
【００１０】
上記目的を達成するために、本発明の特徴の第１は、基板部及び蓋部からなり、前記基板部には試料を収容するための凹窩部が設けられ、前記蓋部はヒンジ部を介して基板部と一体的に設けられるとともに、前記凹窩部に被覆可能であり、前記蓋部には、当該蓋部を前記凹窩部に被覆した際に試料注入用の開口部となる切欠き部が設けられ、前記凹窩部の深さは、前記蓋部を前記凹窩部上に被覆した状態で、蓋部の下面と凹窩部の底面との間で毛細管現象が生じる深さであり、凹窩部の底面及び／又は蓋部の下面に、蓋部下面と凹窩部の底面の間隔を保つためのスペーサーが設けられていることを特徴とする液状試料検査用プレパラートを内容とする。
【００１１】
本発明の特徴の第２は、スペーサーが点状及び／又は線状であることを特徴とする前記の液状試料検査用プレパラートを内容とする。
【００１２】
本発明の特徴の第３は、スペーサーが規則的に配列されていることを特徴とする前記の液状試料検査用プレパラートを内容とする。
【発明の効果】
【００１３】
本発明による液状試料検査用プレパラートは、蓋部の端縁に試料注入用の開口部となる切欠き部が設けられるとともに、蓋部を試料収容部である凹窩部の上に被覆した状態において、蓋部の下面と凹窩部の底面との間隔が毛細管現象が生じるように構成されているので、粘性が低い試料の場合は蓋部を凹窩部の上に被覆して試料注入用の開口部に試料を滴下すれば、毛細管現象により自動的に試料が蓋部と凹窩部の間に広がり、凹窩部の中に試料が収容される。
また、試料の粘性が高い場合は、蓋部を持ち上げることにより、凹窩部の中に試料を容易に収容することができる。
さらに、凹窩部の底面及び／又は蓋部の下面にスペーサーが設けられているので、蓋部に内部に残存応力が発生している場合でも、試料の層の厚さを均一にすることができ、好適に試料検査を行うことができる。
【００１４】
スペーサーの形状が点状及び／又は線状とすることにより、スペーサーによる試料観察への影響を最小限に抑えることができる。
【００１５】
スペーサーを規則的に配列すれば、例えば赤血球数等を目視でカウントする際に、計測の目安とすることができ、作業性が向上する。
【図面の簡単な説明】
【００１６】
【図１】図１（ａ）は本発明の液状試料検査用プレパラートの実施例を示す概略図であり、（ｂ）は（ａ）のＡ−Ａ断面図であり、（ｃ）は（ａ）のＢ−Ｂ断面図である。
【図２】図２（ａ）は図１において、蓋部を凹窩部に被覆した状態を示す概略図であり、（ｂ）は（ａ）のＣ−Ｃ断面図である。
【図３】図３は図１において、蓋部を凹窩部に被覆した状態における部分拡大断面図である。
【図４】図４はスペーサーの配列の例を示しており、（ａ）、（ｂ）は凹窩部内に点状のスペーサーを格子状（但し中央は除く）に配列した例を示す平面図であり、（ｃ）は点状のスペーサーと線状のスペーサーとを配列した例を示す平面図である。
【図５】図５は、蓋部と凹窩部の間を部分的にテーパ状としたプレパラートの拡大断面図である。
【図６】図６は本発明の液状試料検査用プレパラートの他の実施例を示す概略図である。
【図７】図７は図６の液状試料検査用プレパラートにおいて、蓋部を閉じた状態を示す概略図である。
【発明を実施するための形態】
【００１７】
本発明の液状試料検査用プレパラート１は、図１乃至図３に示した如く、基板部２及び蓋部３からなり、前記基板部２には試料を収容するための凹窩部２ａが設けられ、前記蓋部３はヒンジ部３ａを介して基板部２と一体的に設けられるとともに、前記凹窩部２ａに被覆可能であり、前記蓋部３には、当該蓋部３を前記凹窩部２ａに被覆した際に試料注入用の開口部となる切欠き部３ｂが設けられ、前記凹窩部２ａの深さは、前記蓋部３を前記凹窩部２ａ上に被覆した状態で、蓋部３の下面と凹窩部２ａの底面との間で毛細管現象が生じる深さであり、凹窩部２ａの底面及び／又は蓋部３の下面（図示した例では凹窩部２ａの底面）に、蓋部３下面と凹窩部２ａ底面の間隔を保つためのスペーサー４が設けられていることを特徴とする。
【００１８】
本発明の液状試料検査用プレパラート１は、図１に示すように、基板部２と蓋部３とからなり、蓋部３はヒンジ部３ａを介して基板部２に接続されている。
基板部２の形状は特に限定されないが、従来より顕微鏡観察に多用されているスライドガラスと同様、横長の矩形とすれば、従来と同様の方法で顕微鏡にセットでき、試料を観察できるので好ましい。厚さも特に限定されないが、従来のスライドガラスと同様に、２〜３ｍｍ程度が好ましい。
【００１９】
基板部２には試料を収容するための凹窩部２ａが設けられ、図２に示すように、当該凹窩部２ａは前記蓋部３で被覆されるようになっている。蓋部３及び凹窩部２ａの形状は、後述の試料注入用の開口部を除き、凹窩部２ａを蓋部３で覆うことができれば特に限定されないが、従来から使用されているカバーガラスと同様、一辺１５〜２０ｍｍ程度の正方形状とすれば、外観が通常のスライドガラス及びカバーガラスを使用した場合と同様になるので、従来と同じ方法で検査をすることができる。
【００２０】
本発明におけるヒンジ部３ａは、蓋部３を凹窩部２ａの上で開閉可能とするための部分である。その構造は特に限定されないが、試料検査用のプレパラートは使い捨てとして扱われる場合が多いので、数回程度の開閉に耐える強度を有していれば十分である。
例えば、蓋部３と基板部２を成形する際に両者の間にＶ字状の切り込み（ノッチ）を１〜３条設け、これをヒンジ部３ａとすることができる。このようなヒンジ部３ａで基板部２と蓋部３を接続すれば、材質にもよるが、蓋部３を、プレパラートに要求される回数（２〜３回程度）開閉しても壊れない程度の構造を安価に製造することができる。また、切込み（ノッチ）に代えて、蓋部３と基板部２の間を薄いフィルム状としてヒンジ部とすることもできる。
【００２１】
本発明において、図３に示すように、凹窩部２ａに蓋部３を被覆すれば、凹窩部２ａと蓋部３で囲まれる空間が生じ、この空間内（以後、試料室６と称する場合がある）に試料が注入・収容される。試料室６の形状は、試料及び検査内容に応じて試料が観察しやすくなるよう任意に定めればよいが、通常は縦横それぞれ１５〜２０ｍｍ、高さ０．０３〜０．５ｍｍ程度とされる。
【００２２】
本発明は試料室６の高さ（即ち、蓋部３下面と凹窩部２ａ底面の間隔）を一定に保つためのスペーサー４が設けられることを特徴とする。スペーサー４は蓋部３から下向きに突設してもよいし、凹窩部２ａから上向きに突設することもでき、或いは下向きのものと上向きのものを併用してもよいが、蓋部３側にスペーサー４を設けると、試料観察の妨げになる場合もあるので、凹窩部２ａに設けるほうが好ましい。
【００２３】
スペーサー４は高さが試料室６の高さとほぼ同一で、その形状も試料観察の妨げになりにくい形状である限り特に限定されず、即ち、試料観察の妨げになるような面状の広がりを持つ形状でなければよいが、具体的には点状、線状等が例示できる。なお、本発明において点状とは直径３０μｍ以下、好ましくは１５μｍ以下の円形の中に収まる形状であり、線状とは幅が３０μｍ以下、好ましくは１５μｍであって、長く延伸された形状である。このような形状であればスペーサー４による試料観察への影響は殆ど生じない。
但し、スペーサー４が線状の場合は、液状試料の粘度や、試料室６内における試料の流れ方向に対するスペーサー４の延伸方向等によっては、試料がスペーサー４の周りに集まって試料層の厚さが不均一になり易くなり、この不均一さが試料観察の妨げになることがあるので、点状のほうが好ましい。
【００２４】
スペーサー４の数は、一つだけでもある程度の効果が得られるが、複数設けたほうが試料室６の高さを一定にする効果が高い。複数設ける場合、スペーサー４をランダムに配置することも可能ではあるが、規則的に配列すれば、例えば血球の数を目視でカウントする際の目安にもなるので、作業性が向上する。
例えば、図１（ａ）に示したように、点状のスペーサー４を、凹窩部２ａの中心点と各辺の中点の間に１個づつ計４個配列すれば、凹窩部２ａの内部がスペーサー４を目安に区分けされてできる４個の領域（図中、一点鎖線で示す）のうち、一つの領域についてだけカウントするだけで全体の数を予想することができる。図４（ａ）のように、凹窩部２ａの辺の長さを３等分する線（図４（ａ）において一点鎖線で図示）の交点に配列するような場合も同様である。
なお、図４（ｂ）に示した例にように、凹窩部２ａの辺の長さを４等分する線（図４（ｂ）において一点鎖線で図示）の交点に格子状に配列することもできるが、このような場合、観察の便宜を考慮して中央のスペーサー４を省いてもよい。
或いは、辺の長さを５〜８等分する線の交点に点状のスペーサー４を格子状に配置するなど、スペーサー４の数をもっと多くすることもできるが、この場合、スペーサー４との位置関係を基準にして既カウントのものと未カウントのものを見分けることができるので、二重カウントやカウント忘れ等のカウントミスを防ぐことができる。但し、スペーサー４の数が多すぎる場合は試料観察の妨げになる場合があるので、点状のスペーサーを多数配列する場合、上限は５０個程度にするほうが好ましい。
【００２５】
線状のスペーサー４を設ける場合は、試料注入用の開口部３ｂに滴下した液状試料の流れを妨げないようにするのが好ましい。そのための配列としては、図４（ｃ）に示したように、凹窩部２ａの中央に線状のスペーサーを配置したものが例示できる。
なお、図１（ａ）、図４（ａ）（ｂ）（ｃ）においては、作図の便宜上、スペーサー４は実際よりもはるかに大きく記載されている。
【００２６】
本発明においては、蓋部３には、試料室６に液状試料を滴下するための開口部となる切欠き部３ｂが設けられる。詳述すれば、図１に示したような、切欠き部３ｂが設けられた蓋部３で凹窩部２ａの上を被覆すれば、図２に示したように、該切欠き部３ｂが試料注入用の開口部となり、この部分に試料を滴下すれば蓋部３と凹窩部２ａとの間での毛細管現象により試料室６内に試料が注入され収容される。
切欠き部３ｂの位置は、蓋部３を凹窩部２ａに被せたときに凹窩部２ａと重なる部分である限り特に限定されないが、顕微鏡による試料観察の妨げにならないように凹窩部２ａの端部と重なる位置に切欠き部３ｂを設けるのが好ましい。なお、図１乃至図３に示した例では、ヒンジ部３ａの側に切欠き部３ｂが設けられており、蓋部３を凹窩部２ａに被せたときに切欠き部３ｂの一部が凹窩部２ａの端部と重なって、試料注入用の開口部となるように構成されている。
【００２７】
上記した通り、本発明では試料注入用の開口部３ｂに液状試料を滴下すれば、毛細管現象により液状試料が試料室６内で広がり収容されるように構成される。具体的には、例えば、蓋部３の下面と凹窩部２ａの底面との間隔（即ち、試料室６の高さ）を０．２〜０．５ｍｍ程度とすることにより、尿、血液、組織液等の比較的粘性が低い液状試料は毛細管現象により試料室６内で自動的に注入され収容される。
【００２８】
なお、粘性が比較的高い液状試料の場合、試料を開口部３ｂに滴下しても毛細管現象は生じないが、液状試料と試料室６の間の分子間力は働いているので、僅かな力を加えれば液状試料が試料室６内に広がる場合もある。このような場合、凹窩部２ａに蓋部３が被さっている状態で、試料注入用の開口部３ｂから蓋部３の中央側に向かって凹窩部２ａと蓋部３の隙間がテーパ状に狭くなるように形成されていれば（以後、テーパ部６ａと称することがある。図５参照）、開口部３ｂから試料を滴下し、テーパ部６ａの上部を下方に押すことにより、凹窩部２ａ全体に試料を押し込むことができる。
テーパ部６ａを形成させるには、蓋部３の切欠き部３ｂ及び／又は基板部２の凹窩部２ａの周囲を斜面状に形成すればよい。図５では、蓋部３の切欠き部３ｂ付近の内側が斜面状に形成されている。
【００２９】
例えば尿沈渣のように、試料の粘性が極めて高い場合には、上記のように試料を押し込んでも試料室６内に注入・収容することが困難な場合がある。このような場合は、蓋部３を持ち上げて凹窩部２ａに直接試料を収容した後、蓋部３を凹窩部２ａ上に被覆する。この場合、必要に応じ、蓋部３の上から試料を押さえることにより試料を薄く広げる。
【００３０】
蓋部３を持ち上げ易くする方法としては、例えば、図１に示したように、蓋部３の先端部分に指掛け凸部３ｃを設けて、この部分に指を掛けて蓋部３を開けることができるようにする方法が挙げられる。しかしながら、指掛け凸部３ｃが基板部２の端縁から突出している場合は、検査中にこの指掛け凸部３ｃに検査器具等が当たって蓋部３が不意に開く恐れが大きくなり、一方、突出していなければ指を掛けて蓋部３を持ち上げることが困難である。
このような不都合を避けるには、指掛け凸部３ｃを設けるとともに、基板部２の端縁であって凹窩部２ａの近傍に指入れ凹部２ｃを凹設することにより、図２に示したように、指掛け凸部３ｃがこの指入れ凹部２ｃ内では突出するが、基板部２の外形内に収まり突出しないように構成するのが好ましい。このようにすれば、指掛け凸部３ｃに指を掛けることができると共に、指掛け凸部３ｃに検査器具等が当たって蓋部３が不意に開くような恐れが小さくなる。
【００３１】
また、本発明では、図６に示すように、指入れ凹部２ｃ及び指掛け凸部３ｃがないプレパラート１も用いることができ、この場合は蓋部３を持ち上げやすくするために、蓋部３の端縁に滑り止め用の凹凸（図示せず）を設けることができる。
【００３２】
上記のように蓋部３を開閉させる場合、蓋部３にはある程度の剛性が必要であるが、剛性を得る方法については特に限定されない。なお、図１〜３に示した実施例や図６に示した実施例においては、蓋部３の裏面側にリブ３ｄを突設することにより剛性を確保している。このため、蓋部３の厚さを０．１〜０．３ｍｍ程度にまで薄くしても蓋部３の開閉時に撓むことがなく、作業性がよい。また、蓋部３を薄くできるので、顕微鏡の対物レンズを試料に一層近付けることができ、且つ透明度の低い蓋部３により試料からの反射光が遮られるようなこともないので、試料の観察が容易になる。
【００３３】
上記の場合、リブ３ｄの形状は、蓋部３に剛性を与えることができ、且つ溝部２ｂ内に収まる形状が好ましい。なお、リブ３ｄを中実にすれば、プレパラート１を射出成形等で作成する際に、樹脂が凹窩部２ａ上を被覆する蓋部３の部分（以後、被覆部３ｅと称することがある）より先にリブ３ｄの部分に流れ、次いで、リブ３ｄ側から被覆部３ｅに向かって樹脂が流れることにより、被覆部３ｅの中央付近で樹脂が合流し、この合流部分でウェルドラインが形成されることがある。このウェルドラインは試料観察の際の妨げになる場合があるので、被覆部３ｅには無いほうが好ましいが、リブ３ｄの形状を表面側から内側に向けて突出するＵ字形状（図３参照）とすることによりウェルドラインが被覆部３ｅに形成されるのを防ぐことができる。
即ち、リブ３ｄをＵ字形状にすれば、樹脂がリブ３ｄ側に流れにくくなり、その結果、先に被覆部３ｅ側に流れて、しかる後にこの被覆部３ｅからリブ３ｄに樹脂が流れるので、樹脂が被覆部３ｅ内で合流することがなくなり、被覆部３ｅにおけるウェルドラインの形成を抑制できる。
なお、Ｕ字形状のリブ３ｄは外力が加わることにより当該リブ３ｄの幅方向に容易に収縮変形可能なので、リブ３ｄ及び溝部２ｂの寸法精度が少々悪くても（例えば、リブ３ｄの幅方向の寸法が溝部２ｂの幅方向の寸法より少々大きくても）、好適にリブ３ｄを溝部２ｂ内に嵌入できる。従って、プレパラート１の作成時に寸法精度をさほど気にする必要がないので、金型を安価に製造できるとともに、製品の歩留りが向上する。
【００３４】
蓋部３は不意に開くのを防ぐために、係止構造５を設けるのが好ましい。具体的な構造は特に限定されないが、例えば、図３に記載されているように、蓋部３の指掛け凸部３ｃの先端から内側に向けて突起５ａを設けるとともに、基板部２の指入れ凹部２ｃの内側から外側にむけて突起５ｂを設け、これらの突起５ａ、５ｂを互いに係合させる構造が挙げられる。蓋部３を開ける場合は、指掛け凸部３ｃに指を掛け少し上方に撓ませると突起５ａと５ｂの係合を容易に解くことができる。
【００３５】
但し、図１、図２で示した例のように、蓋部３の縁の中央部分のみで蓋部３と基板部２を係止すれば、蓋部３の縁の中央部のみが基板部２と密着し、蓋部３の縁の端部が反り返って浮き上がる場合がある。このような不都合を避けるため、図６に示したように、蓋部３の縁の略全幅で突起５ａと突起５ｂが係合するように構成してもよい。
【００３６】
本発明においてリブ３ｄを設けた場合には、図１に示したように、凹窩部２ａの周囲に該凹窩部２ａより深い溝部２ｂを設け、この溝部２ｂにリブ３ｄが嵌入するように構成するのが好ましい。このようにすれば、試料の調整時や観察時に当該リブ３ｄが邪魔になることがない。
また、溝部２ｂの深さをリブ３ｄの突出高さよりも大きくすれば、試料室６に入りきらない余分な試料が溝部２ｂに流れ込むので、試料注入用の開口部３ｂから余分な試料が洩出して基板部２の表面を汚染する恐れが小さくなる。また、試料の洩出を気にする必要がなくなるので、滴下する試料の量が少なすぎて試料室６に十分な試料が注入されないようなトラブルも防ぐことができる。
【００３７】
溝部２ｂを設ける場合、溝部２ｂは凹窩部２ａの周囲全周に設けてもよいが、図１に示したように、試料注入用の開口部となる切欠き３ｂの近辺については溝部２ｂを省略したほうが好ましい。このようにすれば、試料室６が試料で満たされる前に溝部２ｂに試料が流れ込むような不都合が防止できるので、滴下する試料の量が少ない場合でも問題なく検査を行うことができる。また、試料が先に溝部２ｂ全体に流れ込んでしまい、中央部に気泡が残ってしまう様なトラブルを防止できる。
【００３８】
また、試料が先に溝部２ｂに流れ込むのを防ぐため、図１に示したように、溝部２ｂの内側に壁部２ｄを設けることもできる。このようにすれば開口部に滴下した試料は壁部２ｄに塞き止められ、先に凹窩部２ａの中が試料で満たされてから、余分の試料が溝部２ｂ内に溢れ出るので、試料が足りなくなったり、凹窩部２ａ内の試料に気泡が残るトラブルが一層防止される。
前記壁部２ｄは溝部２ｂの内側全体に設けてもよいが、図１に示したように、試料を滴下するための開口部が設けられた辺に対向する辺の一部、好ましくは凹窩部２ａのコーナー部分には壁部２ｄを設けず、この壁部２ｄの不在部分を空気抜き２ｅとすれば、凹窩部２ａ内に気泡が残るトラブルが一層効果的に防止される。
【００３９】
基板部２は、凹窩部２を除く表面を粗面化することにより、凹窩部２とそれ以外の場所がひと目で見分けが付くようにすることができる（図示せず）。これにより、例えば、顕微鏡を覗くだけで対物レンズの下に凹窩部２があるか否かを即座に判断することが可能となり作業性が高められる。
また、図１に示されるように、基板部２の表面の一部のみを粗面化して、必要に応じ、被検者の氏名や番号を筆記・印刷するための記録部２ｆとすることができ、これにより、被検者を取り違える等のトラブルを防止することができる。
【００４０】
凹窩部２ａを複数設ける場合には、それぞれの凹窩部２ａを区別するための識別記号を付してもよい。使用できる識別記号は特に限定されず、アルファベットの他、ひらかな、カタカナ、数字、幾何学模様など、それぞれの凹窩部２ａを区別できるものであれば、なんでも良い。
識別記号を付す場所もそれぞれの凹窩部２ａを区別できる限り特に限定されず、指掛け凸部３ｃに識別記号を付しても良いし、各凹窩部２ａの周囲等に付しても良い。
識別記号を付す方法も特に限定されず、例えば本発明のプレパラート１を成形するための金型に識別記号を刻設して、識別記号が浮き彫り状に突設されるようにしてもよいし、成形後に識別記号を印刷してもよい。
【００４１】
上記したような記録部や識別記号は、図７に示したように、蓋部３に設けることもできる。但し、蓋部３に記録部３ｇや識別記号３ｈを設ける場合は、試料観察の妨げにならないように、当該記録部３ｇや識別記号３ｈが凹窩部２ａと重ならない位置に設けるようにする。この場合、基板部２に設けた記録部２ｆは省略してもよいし、また、メーカー名や商品名等を記載することもできる。
【００４２】
本発明における液状試料検査用プレパラート１の材質は、透明な高分子材料である限り特に限定されず、通常の光学用の透明樹脂から選ぶことができる。その具体例としては、アクリル樹脂、ポリカーボネート、ポリスチレン、ポリ塩化ビニル、ポリプロピレン、ポリメチルペンテン等のポリオレフィン、環状ポリオレフィン、ポリエチレンテレフタレート、ポリブチレンテレフタレート、ポリエチレンナフタレート等のポリエステル系樹脂、ポリアミド系樹脂、ポリアリレート、ポリイミド等を挙げることができ、このなかでも、アクリル樹脂、ポリカーボネート、環状ポリオレフィンが特に好ましい。
【産業上の利用可能性】
【００４３】
叙上のとおり、本発明の液状試料検査用プレパラートによれば、液状試料の粘性に関わらず試料を容易且つ均一に収容できるので作業性が良好で且つ精度よく検査することが可能である。
【符号の説明】
【００４４】
１  液状試料検査用プレパラート
２  基板部
２ａ  凹窩部
２ｂ  溝部
２ｃ  指入れ凹部
２ｄ  壁部
２ｅ  空気抜き
２ｆ  記録部
３  蓋部
３ａ  ヒンジ部
３ｂ  切欠き部（試料注入用の開口部）
３ｃ  指掛け凸部
３ｄ  リブ
３ｅ  被覆部
３ｆ  周辺部
３ｇ  記録部
３ｈ  識別記号
４  スペーサー
５  係止構造
５ａ、５ｂ  突起
６  試料室
６ａ  テーパ部
【図１】
2014002046.tif 000003
【図２】
2014002046.tif 000004
【図３】
2014002046.tif 000005
【図４】
2014002046.tif 000006
【図５】
2014002046.tif 000007
【図６】
2014002046.tif 000008
【図７】
2014002046.tif 000009